(57)【要約】      （修正有）【課題】放射線遮蔽室の天井を設置するには、天井にベース板をケミカルアンカーで固定をし、そのベース板に重量物である遮蔽鉄板をリフトなどで数枚重ねて天井まで持ち運び天井に向かって溶接、この作業を数十回繰り返し製作するのが通常であるが、作業性が悪く又高所作業でしかも重量物の遮蔽鉄板の下での作業で常に危険性に直面して作業を行わなければならなかった。このような高所作業および危険作業を解消するための放射線遮蔽室の天井を搬送する装置を提供する。【解決手段】放射線遮蔽室の天井を構成する遮蔽鉄板の搬送装置は、ジャッキ架台１の下にジャッキ５をセットし、支柱２と支え金具３に開けた穴を利用しながら固定ピン４差し込みジャッキ架台１を固定しジャッキアップする作業を順次繰り返すことによって天井位置へ遮蔽鉄板を搬送する。【選択図】図３
2013122142.tif 000002
【特許請求の範囲】
【請求項１】
リニアック室等の放射線遮蔽室の天井に遮蔽鉄板を取り付ける際に、床上にセットされたジャッ
キ架台に必要な天井遮蔽鉄板を重ね完成された天井を、ジャッキアップとジャッキ架台の４隅に建
てた４本の支柱に一定の間隔で明けた穴を利用しながら固定ピンで固定を繰り返しながら一気に
放射線遮蔽天井を形成する工法及びその搬送装置である。
【請求項２】
前記工法で行う事により、天井の遮蔽鉄板の組み合わせ品質が、従来の天井へ一枚ずつ貼り付け
る工法よりも、床上で事前に天井を製作・品質確認できるため信頼性が高く、又作業が簡素化されコストを安価に抑えることが出来る工法である。
【発明の詳細な説明】
【技術分野】
【０００１】
本発明は、リニアック室等の放射線遮蔽室の天井に遮蔽鉄板を取り付ける際に、４隅に垂直に立てた４本の支柱に支えられた床上のジャッキ架台上に、天井を構成する必要な遮蔽鉄板をジャッキ架台上で積み重ね天井を構成し、ジャッキ架台をジャッキアップして取り付ける工法である。
【０００２】
本発明は、床上にジャッキ架台を設置し、そのジャッキ架台の４隅に等間隔に穴を空けた４本の支柱を床から天井に向けて垂直に建て、ジャッキ架台の４隅にあけてある穴と照合しそこに固定ピンを挿す事でジャッキ架台を支え、次のジャッキアップの作業に移行し順次ジャッキ架台を天井まで取り付ける搬送装置である。
【０００３】
本発明の工法で放射線遮蔽室の天井を製作することは、従来工法より遥かに作業性が向上しコストダウンにつながると同時に、放射線の遮蔽に対する品質の向上と信頼性が高まり品質保証が格段としやすくなる。
【背景技術】
【０００４】
従来、放射線遮蔽室等の天井は、放射線の漏れを遮蔽する為に数十枚の鉄板を積層して製作するが、１枚の鉄板の厚みが数十ミリで重量が数トンになる為に１枚ずつ重機（リフトなど）を使い持ち上げ溶接などで取り付け貼り付けていくのが通例である。
【０００５】
上記工法では、溶接などの取り付けには作業者が上を向いて溶接などの作業を行わなければならず、作業性が悪く疲れやすく又作業者が高所で上を向いているので落下に対する危険性が高い状況で作業をしなくてはならない。
【０００６】
又、上記工法では、鉄板を下から上へ張付けていく為に、上の鉄板とこれから張る鉄板との張り合わせが隙間無く張り合わせられているか不確実であり、放射線の遮蔽という品質面での信頼性が低い状態で張り合わせていかなくてはならない。
【０００７】
上記工法で、建設用の仮設足場を設置する際に、足場用支柱に小径の穴を明けくさびで止め足を
固定する方法がある。（例えば、特許文献１参照。）
【特許文献１】特開平11-093398号公報
【発明の開示】
【発明が解決しようとする課題】
【０００８】
上記、リニアック室等の放射線遮蔽室の天井を、遮蔽鉄板を幾重にも積層させ放射線を遮蔽する目的で製作する場合、通常はリフトなどで１枚が１トン程度の厚板鉄板を数枚重ねて天井まで持ち上げて運び、天井に溶接していく工法が取られるが、１００トンクラスの天井を製作するには数十回に作業を分けるため作業性が悪くコストも高くつく。
【０００９】
上記工法では、まず天井にベース板をケミカルアンカーで固定してそのベース板に遮蔽鉄板を順次溶接し張り合わせ取り付けていくため溶接技術及び張り合わせ技術により品質面で放射線の遮蔽に対する信頼性が低く、又作業その物が高所作業でしかも重量物である遮蔽鉄板の下での作業である為、常に危険性に直面して作業を行わなければならない作業になっていた。
【００１０】
そこで本発明者は、上記内容より作業性・危険性を良くし、品質を安定させ重量物である鉄板の運搬を容易にする為に、床上のジャッキ架台上で放射線遮蔽室の天井を製作することで品質の確認をし、又そのジャッキ架台の搬送方法を考案することにより廉価で品質の信頼性を増す放射線遮蔽室の天井を製作する本発明に至った。
【課題を解決するための手段】
【００１１】
上記の目的を達成する為に、本発明は、次のように構成されている。
【００１２】
請求項１に記載の発明は、リニアック室等の放射線遮蔽室の天井を、床上にセットしたジャッキ架台上にて必要な天井遮蔽鉄板で製作することである。この床上で製作することは重量物の移動調整が簡単であるがために溶接の作業性を良くし、各遮蔽鉄板の張り合わせ技術も安定し品質確認も床上で十分に確認でき、又作業が高所作業でなく落下等の危険性もなく、更に吊るされた重量物の遮蔽鉄板の下での作業がなくなるので作業を安心して行え危険性がなくなる。
【００１３】
請求項１に記載の発明は、床上にセットしたジャッキ架台上にて１００トンクラスのリニアック室等の放射線遮蔽室の天井を製作・完成させてしまうので、それを天井位置まで上げる手段が必要になる。その手段としてジャッキ架台の下には２箇所にジャッキ架台を支えるジャッキをセットし、ジャッキ架台の両端に一定の間隔で穴を明けた支柱を垂直に立て、その支柱を挟み込む支え金具を取り付けたジャッキ架台を取り付ける。このジャッキ架台を２セット対称側面に設置し、支柱と支え金具に明けた穴を利用しながら固定ピン差し込みジャッキ架台を固定し、ジャッキを縮めスペーサを入れ固定ピンを抜きジャッキアップをする。この作業を繰り返しながら天井位置へ搬送することを特徴とする搬送装置である。
【００１４】
請求項２に記載の発明は、従来工法では天井にベース板をケミカルアンカーで固定してそのベース板に遮蔽鉄板をリフトなどで持ち上げ貼り付け溶接していくが、リフトなどで支えているものの宙吊り状態では微細な隙間など調整が困難で貼り付け技術により放射線遮蔽室の放射線漏れの品質に大きな欠陥となる。そこで床上で放射線遮蔽室の天井を造り込むことは、放射線遮蔽室にとって致命的な隙間を、遮蔽鉄板で微調整することは容易であり信頼性の高い品質の放射線遮蔽室を造り上げることが出来ることを特徴とする天井遮蔽鉄板取り付け工法である。
【発明の効果】
【００１５】
上記のように、本発明のリニアック室等の放射線遮蔽室の天井の製作は、放射線を部屋より漏れては品質欠陥となるが、床上で天井そのものを造り上げることが出来るので遮蔽鉄板の合わせ目部分での微細な隙間を押さえ、作業がやり易く・簡素化して安価で高品質の放射線遮蔽室の天井を造り出すことが出来る。
【００１６】
上記のように、１００トン以上の重量のある放射線遮蔽室の天井を床上で製作・完成させ本来の天井位置まで搬送する工法は、ジャッキとジャッキ架台を支える４本の支柱に一定間隔で明けられた穴に固定ピンを差し込み、重量物を支えている間に次のジャッキアップを準備し、固定ピンを外し順次ジャッキアップして天井位置まで搬送することが出来、しかも安価な搬送装置で重量物を容易に搬送できる工法である。
【発明を実施するための最良の形態】
【００１７】
以下、本発明の実施の形態を図面を用いて説明する。
【００１８】
尚、この実施形態では、リニアック室等の放射線遮蔽室の天井を製作する際の天井遮蔽鉄板取り付け工法について説明するが、本発明は、放射線遮蔽室の天井の製作に限らず、重量物を持ち上げる搬送装置を含めた搬送工法の全般に適用する。
【００１９】
図１は、本発明の実施形態のリニアック室等の放射線遮蔽室を示す平面図であり、遮蔽鉄板を支えるジャッキ架台１の１対の配置と支柱２及びジャッキ６の位置関係を表している。
【００２０】
図２は、放射線遮蔽室で天井の遮蔽鉄板を完成させ、ジャッキアップしている側面図である。支柱２はH形鋼に一定の間隔で貫通した穴を明けてあり、ジャッキアップした後ジャッキ架台１の両端に取り付けた支え金具３の穴に合致した時点で固定ピン４を差し込んで完成された天井を積載しているジャッキ架台支える仕組みになっている。
【００２１】
上記のように、ジャッキ架台１を４隅とも支柱２に固定ピン４で支えられたら、ジャッキ５を緩めてスペーサ６の高さを替え、固定ピン４を抜いて更にジャッキアップをし、この作業を順次繰り返すことで天井位置まで搬送する工法である。
【００２２】
図３は、支柱２にジャッキ架台１の端面にこの字形で支柱２を抱き込むように取り付けた支え金具３の取り付け状態を示す。固定ピン４は遮蔽鉄板の重量を十分に支えられるように４箇所に差し込む構造になっている。
【図面の簡単な説明】
【００２３】
【図１】本発明に係る天井遮蔽鉄板取り付け工法の平面図である。
【図２】本発明に係る天井遮蔽鉄板取り付け工法の側面図である。
【図３】本発明に係る支柱２と取り付け金具３との関係を表した立体図である。
【符号の説明】
【００２４】
１      ジャッキ架台
２      支柱
３      支え金具
４      固定ピン
５      ジャッキ
６      スペーサ
【図１】
2013122142.tif 000003
【図２】
2013122142.tif 000004
【図３】
2013122142.tif 000005